(57)【要約】【課題】店舗の規模やシリーズ化された物品の種類に応じて、陳列スペースを拡大したり縮小したりすることができ、その陳列形態が常に統一感のある、優れた印象を与えることのできる物品陳列方法およびそれに用いる物品陳列具を提供する。【解決手段】物品を適宜の配置で陳列保持するための係合部が設けられた陳列面３０と、上記陳列面３０の左右両端部からそれぞれ垂下する左右の側面とを有し、上記陳列面３０の前端縁から後端縁に至る略全面が、上記係合部を除き、一定の傾斜角θで傾斜する上り傾斜面になっている物品陳列台１〜３を、左右の側面形状および陳列面３０の傾斜角は同一となり、対象とする物品とその配置が互いに異なる設定で、少なくとも一個ずつ複数種類用意し、上記物品陳列台１〜３を左右方向に隙間なく並べることにより、全体として一つづきの傾斜した陳列面３０を形成し、その並べる物品陳列台１〜３の数と種類に応じて、適宜の物品陳列形態を得るようにした。【選択図】図１
2005052374.tif 000002
【特許請求の範囲】
【請求項１】
物品を適宜の配置で陳列保持するための係合部が設けられた陳列面と、上記陳列面の左右両端部からそれぞれ垂下する左右の側面とを有し、上記陳列面の前端縁から後端縁に至る略全面が、上記係合部を除き、一定の傾斜角θで傾斜する上り傾斜面になっている物品陳列台を、左右の側面形状および陳列面の傾斜角は同一となり、対象とする物品とその配置が互いに異なる設定で、少なくとも一個ずつ複数種類用意し、上記物品陳列台を左右方向に隙間なく並べることにより、全体として一つづきの傾斜した陳列面を形成し、その並べる物品陳列台の数と種類に応じて、適宜の物品陳列形態を得るようにしたことを特徴とする物品陳列方法。
【請求項２】
表面もしくはその内部に所定の物品を備えた補助陳列面と、上記補助陳列面の左右両端部からそれぞれ垂下する左右の側面とを有し、上記補助陳列面の前端縁から後端縁に至る略全面が、一定の傾斜角θ′で傾斜する上り傾斜面になっており、その左右の側面形状および補助陳列面の傾斜角θ′が、請求項１記載の物品陳列台と同一に設定された補助陳列台を、上記請求項１記載の物品陳列台とともに用意し、上記物品陳列台と補助陳列台とを左右方向に隙間なく並べることにより、全体として一つづきの傾斜した陳列面を形成し、その並べる物品陳列台の数と種類、上記補助陳列台の配置に応じて、適宜の物品陳列形態を得るようにしたことを特徴とする物品陳列方法。
【請求項３】
請求項１記載の物品陳列方法に用いる物品陳列具であって、物品を適宜の配置で陳列保持するための係合部が設けられた陳列面と、上記陳列面の左右両端部からそれぞれ垂下する左右の側面とを有し、上記陳列面の前端縁から後端縁に至る略全面が、上記係合部を除き、一定の傾斜角θで傾斜する上り傾斜面になっている物品陳列台が、左右の側面形状および陳列面の傾斜角が同一となり、対象とする物品とその配置が互いに異なる設定で、少なくとも一個ずつ複数種類用意されていることを特徴とする物品陳列具。
【請求項４】
請求項２記載の物品陳列方法に用いる物品陳列具であって、物品を適宜の配置で陳列保持するための係合部が設けられた陳列面と、上記陳列面の左右両端部からそれぞれ垂下する左右の側面とを有し、上記陳列面の前端縁から後端縁に至る略全面が、上記係合部を除き、一定の傾斜角θで傾斜した上り傾斜面になっている物品陳列台が、左右の側面形状および陳列面の傾斜角は同一となり、対象とする物品とその配置が互いに異なる設定で、少なくとも一個ずつ複数種類用意されているとともに、表面もしくはその内部に所定の物品を備えた補助陳列面と、上記補助陳列面の左右両端部からそれぞれ垂下する左右の側面とを有し、上記補助陳列面の前端縁から後端縁に至る全面が、一定の傾斜角θ′で傾斜した上り傾斜面になっており、その左右の側面形状および補助陳列面の傾斜角θ′が、上記物品陳列台と同一に設定された補助陳列台が用意されていることを特徴とする物品陳列具。
【請求項５】
上記物品陳列台が、底面と背面と左右の側面と少なくとも一枚の棚板とを備えたベースユニットと、上記ベースユニットの底面上および棚板上のいずれかの部分に載置されて陳列面を形成する複数個の陳列ユニットとで構成されている請求項３または４記載の物品陳列具。
【請求項６】
上記陳列ユニットが、底面と背面と左右の側面と少なくとも一枚の棚板と陳列面の周縁部を構成する外枠部とを備えた枠ユニットと、上記枠ユニットの底面上および棚板上のいずれかの部分に載置されて陳列面を形成する複数個の陳列トレイとで構成されている請求項５記載の物品陳列具。
【請求項７】
上記補助陳列台が、補助陳列面の表面の上部および下部が鏡で構成され、中間部が開閉式の蓋部で構成されており、上記蓋部を開いた状態で露出する内部空間に、化粧補助具収納部とごみ箱部が設けられている請求項４記載の物品陳列具。
【発明の詳細な説明】
【技術分野】
【０００１】
本発明は、商品、テスター等の物品を陳列する方法およびそれに用いる物品陳列具に関するものである。
【背景技術】
【０００２】
従来から、化粧品販売は対面販売が中心であり、顧客自身が肌に塗って試す化粧料のテスター（以下単に「テスター」と略す）は、通常、カウンター内かその近傍に設置されたケース内に収納されており、必要に応じて販売員が取り出して顧客に供試させるようにしている。
【０００３】
ところが、最近、このような対面販売によらず、顧客自身が化粧品を選択して購入したいという要望が高まり、セルフ形式の店舗が増加している。そのため、テスターを、顧客自身が手にとって供試できるよう、店頭で目立つように、しかも供試しやすいように陳列することが重要な課題となってきている。特に、新シリーズのテスターは、一まとまりにして、店頭内で顧客の注意を充分に惹きつけるよう陳列することが要求されている。
【０００４】
しかしながら、従来から、テスター専用の陳列台としては優れたものが提案されておらず、テスターは、カウンターや中央テーブル上にそのまま並べて陳列されたり、大型のひな壇型陳列台に、販売用の商品と同列に並べて陳列されることが多い。上記のように、テスターをそのまま並べる陳列態様では、テスターの点数が多い場合、場所をとって陳列効率が悪いだけでなく、散漫な印象を与え、購買意欲の増進につながらない。
【０００５】
そこで、新シリーズのテスターを一まとまりで印象的に陳列する専用の陳列台がいろいろ検討されている。例えば、テスター等の物品を見栄えよく陳列し、陳列面に設けられた蓋体表面に、商品説明もしくは宣伝広告が表示されるようになっている専用陳列台（特許文献１参照）や、カウンター等に上置きタイプのコンパクトな専用陳列台（特許文献２参照）が提案されている。
【特許文献１】特開２０００−２３８０５号公報
【特許文献２】特開２０００−１７５７９２号公報
【発明の開示】
【発明が解決しようとする課題】
【０００６】
しかしながら、これらの陳列台は、陳列できる物品の種類や配置が限定されるため、店舗の規模やシリーズ化された物品の種類に応じて、陳列スペースを拡大したり縮小したりすることができない。そして、陳列面積を増やすために、他の陳列台と組み合わせて並べても、統一された陳列形態が損なわれ、見栄えがよくないという問題を有する。
【０００７】
本発明は、このような事情に鑑みなされたもので、店舗の規模やシリーズ化された物品の種類に応じて、陳列スペースを拡大したり縮小したりすることができ、その陳列形態が常に統一感のある、優れた印象を与えることのできる物品陳列方法およびそれに用いる物品陳列具の提供をその目的とする。
【課題を解決するための手段】
【０００８】
上記の目的を達成するため、本発明は、物品を適宜の配置で陳列保持するための係合部が設けられた陳列面と、上記陳列面の左右両端部からそれぞれ垂下する左右の側面とを有し、上記陳列面の前端縁から後端縁に至る略全面が、上記係合部を除き、一定の傾斜角θで傾斜する上り傾斜面になっている物品陳列台を、左右の側面形状および陳列面の傾斜角は同一となり、対象とする物品とその配置が互いに異なる設定で、少なくとも一個ずつ複数種類用意し、上記物品陳列台を左右方向に隙間なく並べることにより、全体として一つづきの傾斜した陳列面を形成し、その並べる物品陳列台の数と種類に応じて、適宜の物品陳列形態を得るようにした物品陳列方法を第１の要旨とする。
【０００９】
また、本発明は、表面もしくはその内部に所定の物品を備えた補助陳列面と、上記補助陳列面の左右両端部からそれぞれ垂下する左右の側面とを有し、上記陳列補助面の前端縁から後端縁に至る略全面が、一定の傾斜角θ′で傾斜する上り傾斜面になっており、その左右の側面形状および補助陳列面の傾斜角θ′が、上記第１の要旨における物品陳列台と同一に設定された補助陳列台を、上記物品陳列台とともに用意し、上記物品陳列台と補助陳列台とを左右方向に隙間なく並べることにより、全体として一つづきの傾斜した陳列面を形成し、その並べる物品陳列台の数と種類、上記補助陳列台の配置に応じて、適宜の物品陳列形態を得るようにした物品陳列方法を第２の要旨とする。
【００１０】
そして、本発明は、上記第１の要旨である物品陳列方法に用いる物品陳列具であって、物品を適宜の配置で陳列保持するための係合部が設けられた陳列面と、上記陳列面の左右両端部からそれぞれ垂下する左右の側面とを有し、上記陳列面の前端縁から後端縁に至る略全面が、上記係合部を除き、一定の傾斜角θで傾斜する上り傾斜面になっている物品陳列台が、左右の側面形状および陳列面の傾斜角が同一となり、対象とする物品とその配置が互いに異なる設定で、少なくとも一個ずつ複数種類用意されている物品陳列具を第３の要旨とする。
【００１１】
さらに、本発明は、上記第２の要旨である物品陳列方法に用いる物品陳列具であって、物品を適宜の配置で陳列保持するための係合部が設けられた陳列面と、上記陳列面の左右両端部からそれぞれ垂下する左右の側面とを有し、上記陳列面の前端縁から後端縁に至る略全面が、上記係合部を除き、一定の傾斜角θで傾斜した上り傾斜面になっている物品陳列台が、左右の側面形状および陳列面の傾斜角は同一となり、対象とする物品とその配置が互いに異なる設定で、少なくとも一個ずつ複数種類用意されているとともに、表面もしくはその内部に所定の物品を備えた補助陳列面と、上記補助陳列面の左右両端部からそれぞれ垂下する左右の側面とを有し、上記補助陳列面の前端縁から後端縁に至る全面が、一定の傾斜角θ′で傾斜した上り傾斜面になっており、その左右の側面形状および補助陳列面の傾斜角θ′が、上記物品陳列台と同一に設定された補助陳列台が用意されている物品陳列具を第４の要旨とする。
【００１２】
また、本発明は、それらのなかでも、特に、上記物品陳列台が、底面と背面と左右の側面と少なくとも一枚の棚板とを備えたベースユニットと、上記ベースユニットの底面上および棚板上のいずれかの部分に載置されて陳列面を形成する複数個の陳列ユニットとで構成されている物品陳列具を第５の要旨とし、そのなかでも、特に、上記陳列ユニットが、底面と背面と左右の側面と少なくとも一枚の棚板と陳列面の周縁部を構成する外枠部とを備えた枠ユニットと、上記枠ユニットの底面上および棚板上のいずれかの部分に載置されて陳列面を形成する複数個の陳列トレイとで構成されている物品陳列具を第６の要旨とする。
【００１３】
さらに、本発明は、前記第４の要旨である物品陳列具のなかでも、特に、上記補助陳列台が、補助陳列面の表面の上部および下部が鏡で構成され、中間部が開閉式の蓋部で構成されており、上記蓋部を開いた状態で露出する内部空間に、化粧補助具収納部とごみ箱部が設けられている物品陳列具を第７の要旨とする。
【発明の効果】
【００１４】
すなわち、本発明の物品陳列方法は、複数種類用意した物品陳列台を、店舗の規模やシリーズ化された物品の種類に応じて適宜の数で組み合わせて並べるようになっており、しかも並べられた物品陳列台の陳列面が、一定の傾斜角θで一続きの陳列面を形成するため、全体として、非常に統一感のある陳列形態が得られるようになっている。したがって、百貨店や専門の店舗において、その陳列スペースや顧客への販売戦略に最も適した陳列形態を、迅速かつ簡単な作業で実現することができる。
【００１５】
また、本発明の補助陳列台を備えた物品陳列方法は、商品を試供する場合に必要な補助具（例えば化粧品テスターを陳列する場合であれば、コットンやティッシュペーパー等）やストック商品等を備えた特殊な補助陳列台を、上記物品陳列台と組み合わせて並べるようになっており、しかも並べられた物品陳列台および補助陳列台の陳列面が、一定の傾斜角θで一続きの陳列面を形成するため、上記の物品陳列方法と同様の効果を奏することができる。
【００１６】
そして、本発明の物品陳列具によれば、簡単な構成の物品陳列台もしくは物品陳列台および補助陳列台の組み合わせにより、本発明の物品陳列方法を、効率よく実施することができる。
【発明を実施するための最良の形態】
【００１７】
つぎに、本発明を実施するための最良の形態について説明する。
【００１８】
まず、本発明の物品陳列方法を化粧品のテスター等の陳列に適用した例を図１に示す。このものは、基本的な形状は同一で陳列面の構成が異なる３個の物品陳列台１〜３を左右方向に隙間なく並べ、さらにその左右両側に補助陳列台４、５をそれぞれ並べた構成になっている。
【００１９】
上記物品陳列台１〜３のうち、物品陳列台１を例にとって説明すると、このものは、図２に示すように、ベースユニット６と、２個の枠ユニット７と、各枠ユニット７内に嵌入保持されて陳列面を形成する複数個の陳列トレイ８（図では１個の陳列トレイのみを表示）と、鏡９とを組み合わせて構成されている。
【００２０】
上記ベースユニット６は、底面１０と、背面１１と、略直角二等辺三角形状の左右の側面１２、１３と、底面１０の中央から立ち上がって棚板１４を支受する立設面１５とを備えている。そして、上記棚板１４には、奥側の左右２個所に、枠ユニット７をねじ固定するための穴１６が穿設されており、そのねじ固定作業を考慮して、背面１１に、切欠き１７が形成されている。ただし、この切欠き１７は、作業後にカバー１８（図３参照）で覆われるようになっている。
【００２１】
また、枠ユニット７（図２に戻る）は、底面２０と、略直角二等辺三角形状の左右の側面２１、２２と、底面２０の中央から立ち上がって棚板２３を支受する立設面２４と、棚板２３の後端縁から立ち上がる背面２５と、底面２０の前端縁からわずかに立ち上がる前面２６とを備えている。そして、上記側面２１、２２と前面２６と背面２５の上端に、上下２枚の枠板３１ａ、３１ｂ（図３参照）と、周縁部全周を覆う側板３１ｃとで形成された外枠部３１が、一体的に取り付けられており、その上面部が、傾斜角θ＝４５°で傾斜した陳列面３０を構成するようになっている。
【００２２】
なお、上記枠ユニット７の外枠部３１の上端部裏側には、鏡９を取り付けるためのガイド部６０が設けられており、このガイド部６０と外枠部３１の裏面との間に形成される隙間に、鏡９の下端縁から突出する係合片６１（図２参照）を差し込むことにより、枠ユニット７の上部に、鏡９を取り付けることができるようになっている。
【００２３】
この枠ユニット７は、上記ベースユニット６の底面１０と棚板１４の上に形成される空間部に、それぞれ嵌入されるようになっている。そして、上段の枠ユニット７は、その底面２０に形成された穴２７（図３参照）と、ベースユニット６側の穴１６を利用して、ねじ固定され、上段からの落下が防止されるようになっている。
【００２４】
さらに、陳列トレイ８は、図４に示すように、左右の側面４０、４１と、底面４２と、前面４３と、背面４４とを備え、側面４０、４１と前面４３と背面４４の上端に、上下２枚の枠板４５ａ、４５ｂと、周縁部全周を覆う側板４５ｃとで形成された小枠部４５が、一体的に取り付けられており、その上面部が、傾斜角θ＝４５°で傾斜した陳列面３０を構成するようになっている。
【００２５】
上記小枠部４５の内側には、浅皿状の陳列ガイド４６が、上下に２個並んだ状態で挟持されており、その開口４７に合わせて、小枠部４５の上側の枠板４５ａにも上下２個の開口４８が形成されている。そして、この開口４７、４８内に、鎖線で示すように、チークカラーやハイライト等のパウダー化粧料テスター５０が、嵌入保持されるようになっている。
【００２６】
この陳列トレイ８は、上記枠ユニット７の底面２０と棚板２３の上に形成される空間部に、それぞれ横に３個ずつ並んだ状態で上下２段、計６個が嵌入されるようになっている（図１参照）。これにより、物品陳列台１の下段が、１２種類のパウダー化粧料テスター５０を並べた陳列となり、しかもその陳列面が、枠ユニット７の陳列面３０と、陳列トレイ８の陳列面３０とが同一平面上に並んで一つづきになるため、非常に統一感があり、見栄えのよい陳列となる。
【００２７】
なお、上記陳列トレイ８は、浅皿状のパウダー化粧料テスター５０を上下に２個並べて陳列するためのものであるが、陳列する物品の形状や個数に応じて、その物品係合部の構成を変えたものが、複数種類用意され、適宜用いられるようになっている。
【００２８】
例えば、図１において、物品陳列台１の上段に６個嵌入される陳列トレイのうち、四角柱状のリップカラーテスター５１を陳列する４個の陳列トレイ７０は、図５に示すような構成になっている。すなわち、このものは、枠ユニット７に嵌入する部分（左右の側面４０、４１、底面４２、背面４４で構成される部分）は、前記陳列トレイ８と同一であるが、小枠部４５が、図示のように、リップカラーテスター５１を、陳列面３０（傾斜角θ＝４５°）に対し垂直に立てた状態で係合保持できるようになっている。上記係合保持部７１は、四角筒部７１ａと円筒部７１ｂとで構成されており、この係合保持部７１を、左右２個、上下に３個の計６個を並べて形成してなる板状体が、小枠部４５の下側の枠板４５ｂに一体的に取り付けられている。
【００２９】
また、図１において、物品陳列台１の上段の右上に嵌入される陳列トレイ８０は、手前側に、チューブタイプのリップエッセンステスター５２を１本陳列し、奥側に、棒状のリップライナーテスター５３を陳列するようになっている。このものは、図６に示すように、枠ユニット７に嵌入する部分は、前記陳列トレイ８、７０と同一であるが、小枠部４５の上下の枠板４５ａ、４５ｂに、所定の開口８１、８２が形成され、その内側に、小陳列棚８３が取り付けられている。上記小陳列棚８３は、上側の枠板開口８１の左右の縁部から下向きに延びる左右一対のガイド片８４、８５と、底板８６と、上下２段の水平板８７、８８と、これらを支受する３枚の立設板８９〜９１とで構成されている。９２はガイド筒である。この小陳列棚８３により、リップエッセンステスター５２およびリップライナーテスター５３が安定的に保持されるようになっている。そして、枠板４５ａの上面が、４５°に傾斜した陳列面３０になっている。
【００３０】
一方、図１において、中央の物品陳列台２の下段の上部に嵌入される３個の陳列トレイ１００は、四角柱状のリクイドファンデーションテスター５４を上下に２個陳列するようになっている。このものも、図７に示すように、枠ユニット７に嵌入する部分は、前記陳列トレイ８等と同一であるが、小枠部４５の上下の枠板４５ａ、４５ｂに、所定の開口１０１、１０２が形成され、その内側に、小陳列棚１０３が取り付けられている。上記小陳列棚１０３は、下側の枠板開口１０２の左右の縁部から下向きに延びる左右一対のガイド片１０４、１０５と、上下２段の水平板１０６、１０７と、これらを支受する２枚の立設板１０８、１０９とで構成されている。この小陳列棚１０３により、リクイドファンデーションテスター５４が安定的に保持されるようになっている。そして、枠板４５ａの上面が、４５°に傾斜した陳列面３０になっている。
【００３１】
また、図１において、中央の物品陳列台２の下段の左下に嵌入される１個の陳列トレイ１１０は、チューブ状のプライマーテスター５５を中央に１個陳列するようになっている。このものも、図８に示すように、枠ユニット７に嵌入する部分は、前記陳列トレイ８等と同一であるが、小枠部４５の上下の枠板４５ａ、４５ｂに、所定の開口１１１、１１２が形成され、その内側に、小陳列棚１１３が取り付けられている。上記小陳列棚１１３は、上側の枠板開口１１１の左右の縁部から下向きに延びる左右一対のガイド片１１４、１１５と、同じく枠板開口１１１の奥側の縁部から下向きに延びるガイド片１１６と、上下２段の水平板１１７、１１８と、上記水平板１１７の前端縁から手前側に延設され枠板開口１１１の手前側の縁部と接合されるカバー片１１９とで構成されている。この小陳列棚１１３により、プライマーテスター５５が安定的に保持されるようになっている。そして、枠板４５ａの上面が、４５°に傾斜した陳列面３０になっている。なお、上記カバー片１１９は、正面から枠板開口１１１内が見えると美的でないことから、内部を目隠しする機能と、プライマーテスター５５のボリュームが大きいためこれを受ける小陳列棚１１３を補強する機能を果たしている。
【００３２】
さらに、図１において、中央の物品陳列台２の下段において、上記陳列トレイ１１０の隣に２個並んだ状態で嵌入される陳列トレイ１２０は、瓶入りの仕上げパウダーテスター５６を１個陳列するようになっている。このものも、図９に示すように、枠ユニット７に嵌入する部分は、前記陳列トレイ８等と同一であるが、小枠部４５の上側の枠板４５ａに、上記仕上げパウダーテスター５６を嵌入保持しうる大きさの開口１２１が形成され、この開口１２１を利用して、仕上げパウダーテスター５６が、陳列面３０に対し垂直な姿勢で安定的に保持されるようになっている。
【００３３】
また、図１において、向かって右側の物品陳列台３の上段に嵌入される陳列トレイ１３０は、枠ユニット７の上下の段にまたがって嵌入される縦長のトレイで、左右方向に３個並ぶようになっている。そして、各陳列トレイ１３０は、浅皿状のパウダーファンデーションテスター５７を、上下に３個並べて陳列できるようになっている。
【００３４】
このものは、図１０に示すように、枠ユニット７の上下の段にまたがって嵌入できるように、前述の陳列トレイ８等の下部（左右の側面４０、４１、底面４２、背面４４で構成される部分）と同一形状の箱型部４０′が上下に２個設けられている。そして、その上に、上下２枚の縦長の枠板１３１ａ、１３１ｂと、周縁部全周を覆う側板１３１ｃとで形成された縦長枠部１３１が、一体的に取り付けされており、その上面部が、４５°に傾斜した陳列面３０を構成するようになっている。
【００３５】
上記縦長枠部１３１の上側の枠板１３１ａには、大きな開口１３２が設けられており、その内側に、浅皿状の陳列ガイド１３３が、上下に３個並んだ状態で取り付けられている。そして、各陳列ガイド１３３内に、パウダーファンデーションテスター５７が、嵌入保持されるようになっている。
【００３６】
さらに、図１において、上記物品陳列台３の下段に嵌入される陳列トレイ１４０も、枠ユニット７の上下の段にまたがって嵌入される縦長のトレイで、左右方向に３個並ぶようになっている。そして、各陳列トレイ１４０は、瓶入りの液体ファンデーションテスター５８を、上下に３個並べて陳列できるようになっている。
【００３７】
このものは、図１１に示すように、枠ユニット７の上下の段にまたがって嵌入できるように、前述の陳列トレイ１３０と同様、その下部に、箱型部４０′が上下に２個設けられている。そして、その上に、上下２枚の縦長の枠板１４１ａ、１４１ｂと、周縁部全周を覆う側板１４１ｃとで形成された縦長枠部１４１が、一体的に取り付けされており、その上面部が、４５°に傾斜した陳列面３０を構成するようになっている。
【００３８】
上記縦長枠部１４１の上側の枠板１４１ａには、大きな開口１４２が設けられており、その内側に、３段の小棚板１４３〜１４５と、これを各段ごとに両側から支受する左右一対、計３対の側板１４６〜１４８が設けられている。そして、各小棚板１４３〜１４５上に、液体ファンデーションテスター５８が、保持されるようになっている。
【００３９】
なお、物品陳列台１（図１に戻る）の上段の上部中央に嵌入される１個の陳列トレイ１５０、物品陳列台２の上段に嵌入される６個の陳列トレイ１６０も、基本的な構成は、陳列トレイ８と同一で、浅皿状テスターの大きさと陳列個数が異なるだけであり、その詳細な説明は省略する。
【００４０】
また、３個並んだ物品陳列台１〜３の向かって左側に並べられる補助陳列台４は、上記物品陳列台１〜３と同一の略二等辺三角形状の左右の側面１７０、１７１と、補助陳列面３０′と、底面１７２と、背面１７３とを備えている。上記補助陳列面３０′は、傾斜角θ′＝４５°で傾斜しており、物品陳列台１〜３の陳列面３０と一つづきに連なるようになっている。そして、上記補助陳列面３０′の上部および下部は鏡１７４、１７５で構成されており、中間部が上下２段の蓋板１７６、１７７で構成されている。
【００４１】
上記蓋板１７６は、図１２に示すように、裏面に設けられた左右２本の係合用凸条１７６ａによって、補助陳列台４の開口に係合されており、これを上方に持ち上げるだけで簡単に外すことができるようになっている。そして、蓋板１７６を外した開口内には、補助陳列台４内を仕切ることにより、コットンやスポンジパフ等を収納する化粧補助具収納空間１７８が設けられている。１７８ａ、１７８ｂ、１７８ｃ、１７８ｄは、上記化粧補助具収納空間１７８を仕切るために、縦向きもしくは横向きに設けられた仕切板である。
【００４２】
また、その下の蓋板１７７は、ヒンジを介して上向きに開閉できるようになっており、ごみ箱１７９の蓋を兼ねている。上記ごみ箱１７９は、補助陳列台４内を仕切って形成されたごみ箱形成空間内に、着脱自在に収納されている。
【００４３】
したがって、この物品陳列台４が、例えばコットンを収納したものである場合、化粧品のテスターを試供したあと、上記化粧補助具収納空間１７８内のコットンを用いて、肌に塗布した化粧料を拭き取り、使用済みのコットンは、上記ごみ箱１７９内に捨てればよく、使い勝手がよい。
【００４４】
さらに、３個並んだ物品陳列台１〜３の向かって右側に並べられる補助陳列台５も、図１３に示すように、上記補助陳列台４と同様、略二等辺三角形状の左右の側面１８０、１８１と、傾斜角θ′＝４５°に傾斜した補助陳列面３０′と、底面１８２と、背面１８３とを備え、上記補助陳列面３０′が、物品陳列台１〜３の陳列面３０と一つづきに連なるようになっている。そして、上記補助陳列面３０′の上部および下部は鏡１８４、１８５で構成されており、中間部が上下２段の蓋板１８６、１８７で構成されている。
【００４５】
上記蓋板１８６も、裏面に設けられた左右２本の係合用凸条１８６ａによって、補助陳列台５の開口に係合されており、これを上方に持ち上げるだけで簡単に外すことができるようになっている。なお、蓋板１８６の中央には、上下方向に延びる長穴形状の開口１８６ｂが形成されている（図１参照）。そして、蓋板１８６を外した開口内には、ティッシュペーパー収納空間１８８が設けられており、このなかに、鎖線で示すように、箱入りティッシュペーパーを収納するか、ティッシュペーパーを重ねたものをそのまま収納することができる。１８８ａは、左右の側面１８０、１８１に形成される凸条で、上記ティッシュペーパー収納空間１８８を仕切る底板１８８ｂを補強している。
【００４６】
そして、その下の蓋板１８７と、ごみ箱１８９の構成は、補助陳列台４と同一であり、その説明を省略する。
【００４７】
したがって、上記補助陳列台５によれば、化粧品のテスターを試供したあと、上記ティッシュペーパー収納空間１８８内のティッシュペーパーを取り出して、肌に塗布した化粧料を拭き取り、使用済みのティッシュペーパーは、上記ごみ箱１８９内に捨てればよく、使い勝手がよい。
【００４８】
このように、図１に示す陳列構造によれば、左右に並べた物品陳列台１〜３の陳列面３０と、補助陳列台４、５の補助陳列面３０′とが、すべて４５°の傾斜面からなり、全体が、一つづきの陳列面として連なるため、非常に統一感があり、見栄えのする陳列となっている。しかも、上記物品陳列台１〜３および補助陳列台４、５は、適宜、場所を入れ替えたり、種類が異なるものと入れ替えたり、陳列個数を増減したりすることができるため、店舗の陳列スペースや顧客ニーズ、商品シリーズの種類等に応じて、その都度、最適な陳列形態を、簡単な作業で提供することができるという利点を有する。
【００４９】
なお、上記の例では、物品陳列台１〜３の陳列面３０と、補助陳列台４、５の補助陳列面３０′が、すべて４５°の傾斜面となるよう設定しているが、陳列面３０、３０′の傾斜角θ（＝θ′）は、４５°に限らず、適宜の角度に設定することができる。そして、各テスターの陳列構成、係合保持構成等も、適宜に設定することができる。
【００５０】
また、上記の例では、物品陳列台１〜３を、ベースユニット６と、枠ユニット７と、陳列トレイ８、７０、８０等との組み合わせで構成しているが、物品陳列台１〜３は、必ずしも上記のような組み合わせ品である必要はなく、物品陳列台１〜３に直接物品を陳列するようになっていてもよい。あるいは、物品陳列台１〜３がベースユニット６と陳列ユニットとの組み合わせからなり、陳列ユニットに直接物品を陳列するようになっていてもよい。ただし、上記の例のように、ベースユニット６と、枠ユニット７と、陳列トレイ８、７０、８０等との組み合わせで構成すると、物品の種類や形状に応じてきめ細かく陳列構成をつくることができ、好適である。
【００５１】
そして、上記物品陳列台１〜３は、少なくとも陳列面３０を構成する部分と、左右の側面１２、１３とを備えていればよく、背面１１と底面１０を設けることは、任意である。ただし、全体の強度を一定に保つには、背面１１と底面１０を設けた方が好適である。
【００５２】
さらに、上記の例では、物品陳列台１〜３による陳列品が、全てテスターであったが、実際に販売する商品や、商品模型、陳列のための装飾品等を適宜組み合わせたものや、それらのみからなる陳列であっても差し支えない。
【００５３】
なお、上記の例では、補助陳列台４、５を用いているが、このような補助陳列台４、５を用いることは任意である。そして、補助陳列台４、５として、補助陳列面３０′の全面が鏡張りになっているものや、補助陳列面３０′がいくつかの蓋板で仕切られ、その内側に、商品等が収納できるようになっているもの等を用いても差し支えない。
【図面の簡単な説明】
【００５４】
【図１】本発明の一実施例の斜視図である。
【図２】上記実施例に用いる物品陳列台の分解斜視図である。
【図３】上記物品陳列台を構成するベースユニットと枠ユニットを組み合わせた状態を示す縦断面図である。
【図４】上記物品陳列台を構成する陳列トレイの縦断面図である。
【図５】上記物品陳列台を構成する陳列トレイの縦断面図である。
【図６】上記物品陳列台を構成する陳列トレイの縦断面図である。
【図７】上記物品陳列台を構成する陳列トレイの縦断面図である。
【図８】上記物品陳列台を構成する陳列トレイの縦断面図である。
【図９】上記物品陳列台を構成する陳列トレイの縦断面図である。
【図１０】上記物品陳列台を構成する陳列トレイの縦断面図である。
【図１１】上記物品陳列台を構成する陳列トレイの縦断面図である。
【図１２】上記実施例に用いる補助陳列具の縦断面図である。
【図１３】上記実施例に用いる補助陳列具の縦断面図である。
【符号の説明】
【００５５】
１〜３  物品陳列台
３０  陳列面
【図１】
2005052374.tif 000003
【図２】
2005052374.tif 000004
【図３】
2005052374.tif 000005
【図４】
2005052374.tif 000006
【図５】
2005052374.tif 000007
【図６】
2005052374.tif 000008
【図７】
2005052374.tif 000009
【図８】
2005052374.tif 000010
【図９】
2005052374.tif 000011
【図１０】
2005052374.tif 000012
【図１１】
2005052374.tif 000013
【図１２】
2005052374.tif 000014
【図１３】
2005052374.tif 000015